(57)【要約】【課題】録画された各タイトルがダビング済みか否かをユーザが容易にわかり、ダビングされていないタイトルを誤って削除することが防げ、利便性の高いものとなる録画装置を提供する。【解決手段】リモコンによりハードディスクの記録タイトル一覧を表示させる操作がされると、ハードディスクに録画されたタイトルの縮小画像２４とタイトル名の一覧が表示装置に表示され、ダビング済みのタイトルに対応する縮小画像２４の下部にダビング済みを表すマーク２５が表示される。【選択図】図７
2007234143.tif 000002
【特許請求の範囲】
【請求項１】
タイトルが録画される記録媒体と、該記録媒体から該記録媒体以外の記録媒体へダビングを行うダビング手段と、を備えた録画装置において、
前記記録媒体に録画されたタイトルを表す画像の一覧を表示手段に表示させ、該画像の一覧のうち前記ダビング手段によりダビング済みのタイトルに対応する画像に対応させてダビング済みであることを表す画像を前記表示手段に表示させるための信号を生成する第一の信号生成手段と、
前記記録媒体に録画されたタイトルのうち前記ダビング手段によりダビング済みのタイトルを表す画像の一覧を前記表示手段に表示させ、該画像に対応させてダビング日時とダビング先の記録媒体とダビング実行者名との少なくとも一つを前記表示手段に表示させるための信号を生成する第二の信号生成手段と、
を備えることを特徴とする録画装置。
【請求項２】
タイトルが録画される記録媒体と、該記録媒体から該記録媒体以外の記録媒体へダビングを行うダビング手段と、を備えた録画装置において、
前記記録媒体に録画されたタイトルを表す画像の一覧を表示手段に表示させ、該画像の一覧のうち前記ダビング手段によりダビング済みのタイトルに対応する画像に対応させてダビング済みであることを表す画像を前記表示手段に表示させるための信号を生成する信号生成手段を備えることを特徴とする録画装置。
【請求項３】
前記記録媒体に録画されたタイトルのうち前記ダビング手段によりダビング済みのタイトルを表す画像の一覧を前記表示手段に表示させ、該画像に対応させてダビングに関する情報を前記表示手段に表示させるための信号を生成する第二の信号生成手段を備えることを特徴とする請求項２に記載の録画装置。
【発明の詳細な説明】
【技術分野】
【０００１】
本発明は、録画装置に関する。
【背景技術】
【０００２】
昨今、ハードディスク付きＤＶＤレコーダのような複合型の録画装置が普及している。例えば、ハードディスク付きＤＶＤレコーダは、放送番組や外部入力信号を一度大容量であるハードディスクに録画して、必要なタイトルのみを後でＤＶＤにダビングするといった使い方がされる。近年、ハードディスクは容量が増加する一方であり、ユーザはハードディスクの容量を気にすることなく録画することが可能となってきている。
【特許文献１】特開２００５−１０９７４２号公報
【発明の開示】
【発明が解決しようとする課題】
【０００３】
しかし、ユーザがハードディスクに容量を気にすることなく録画する結果、録画タイトル数が増加し、ユーザは各タイトルがＤＶＤにダビング済みか否かがわからなくなり、ダビングが済んでいないタイトルを誤って削除してしまうことが起こり、扱いにくいという問題があった。
【０００４】
そこで、例えば特許文献１には、保存用として録画されたタイトルである場合、削除処理を実行しようとすると、ダビングが済んでいるか否かが判定され、ダビングが済んでいない場合はダビングを実行しないと削除できない構成とした記録再生装置が開示されている。
【０００５】
しかし、上記特許文献１の技術では、ユーザが録画予約の時に録画を保存用に設定し忘れた場合、ダビングが済んでいないタイトルが誤って削除されることが起こる。
【０００６】
上記問題点を鑑み本発明は、録画された各タイトルがダビング済みか否かをユーザが容易にわかり、ダビングされていないタイトルを誤って削除することが防げ、利便性の高い録画装置を提供することを目的とする。
【課題を解決するための手段】
【０００７】
上記目的を達成するために本発明の録画装置は、タイトルが録画される記録媒体と、該記録媒体から該記録媒体以外の記録媒体へダビングを行うダビング手段と、を備えた録画装置において、
前記記録媒体に録画されたタイトルを表す画像の一覧を表示手段に表示させ、該画像の一覧のうち前記ダビング手段によりダビング済みのタイトルに対応する画像に対応させてダビング済みであることを表す画像を前記表示手段に表示させるための信号を生成する信号生成手段を備えることを特徴としている。
【０００８】
このような構成によれば、ユーザは録画された各タイトルがダビング済みか否かを容易にわかり、ダビングされていないタイトルを誤って削除することが防げ、利便性が高いものとなる。
【０００９】
また、本発明の録画装置は、前記記録媒体に録画されたタイトルのうち前記ダビング手段によりダビング済みのタイトルを表す画像の一覧を前記表示手段に表示させ、該画像に対応させてダビングに関する情報を前記表示手段に表示させるための信号を生成する第二の信号生成手段を備えることをさらに特徴としている。表示させるダビングに関する情報としては、例えば、ダビング日時とダビング先の記録媒体とダビング実行者名との少なくとも一つであればよい。このような構成により、ユーザはダビングの履歴を確認することが容易となる。
【発明の効果】
【００１０】
本発明の録画装置によれば、ユーザは録画された各タイトルがダビング済みか否かを容易にわかり、ダビングされていないタイトルを誤って削除することが防げ、利便性の高いものとなる。
【発明を実施するための最良の形態】
【００１１】
以下、本発明の実施形態について図面を参照しつつ説明する。ここでは、ハードディスクおよびビデオデッキを備えた複合型のＤＶＤレコーダを例として説明するが、本発明はこれに限らず他の録画装置に適用してもよい。
【００１２】
図１は、本発明に係るＤＶＤレコーダ１の構成を示すブロック図である。
【００１３】
アンテナ２は、放送電波信号を受信し高周波信号である放送信号をチューナ３に送出する。チューナ３は、アンテナ２から受信した放送信号から所定の周波数の放送信号を選局する。検波回路４は、チューナ３の出力信号からコンポジット信号および音声信号を検波する。ビデオデコーダ５は、検波回路４から受信したコンポジット信号をデジタル映像信号に変換する。Ａ／Ｄコンバータ６は、検波回路４から受信した音声信号をデジタル音声信号に変換する。ＭＰＥＧエンコーダ７は、上記デジタル映像信号および上記デジタル音声信号をＭＰＥＧ２に準拠して圧縮符号化する。ハードディスクドライブ９は、上記圧縮符号化されたデジタル映像信号およびデジタル音声信号を内蔵するハードディスクに記録したり、ハードディスクから読み出したりする。また、ＤＶＤドライブ１０は、上記圧縮符号化されたデジタル映像信号およびデジタル音声信号を装填されているＤＶＤに記録したり、ＤＶＤから読み出したりする。
【００１４】
ＭＰＥＧデコーダ１１は、圧縮符号化されたデジタル映像信号およびデジタル音声信号をＭＰＥＧ２に準拠して復号化する。また、スイッチ１５は、ＭＰＥＧデコーダ１１からＯＳＤ（Ｏｎ  Ｓｃｒｅｅｎ  Ｄｉｓｐｌａｙ）部１７への信号経路のオンオフを行う。また、スイッチ１６は、ビデオデコーダ５からＯＳＤ部１７への信号経路のオンオフを行う。ＯＳＤ部１７は、図形信号や文字信号を生成し、ビデオデコーダ５またはＭＰＥＧデコーダ１１から受信したデジタル映像信号と合成して表示信号としてビデオエンコーダ１８に送出する。なお、ＯＳＤ部１７は、ＭＰＥＧデコーダ１１から受信したデジタル映像信号を縮小処理することもある。ビデオエンコーダ１８は、ＯＳＤ部１７から受信した表示信号をコンポジット信号に変換してＤＶＤレコーダ１に接続された図示しないテレビ等の表示装置に送出する。表示装置の画面には、コンポジット信号に基づき映像が表示される。
【００１５】
また、Ｄ／Ａコンバータ１４は、ＭＰＥＧデコーダ１１から受信したデジタル音声信号をアナログ音声信号に変換する。スイッチ１２は、検波回路４からＤＶＤレコーダ１外部への信号経路のオンオフを行う。また、スイッチ１３は、Ｄ／Ａコンバータ１４からＤＶＤレコーダ１外部への信号経路のオンオフを行う。検波回路４またはＤ／Ａコンバータ１４からのアナログ音声信号はスイッチ１２またはスイッチ１３を介して、ＤＶＤレコーダ１に接続された図示しない表示装置に送出される。表示装置のスピーカからは、アナログ音声信号に基づき音声が発せられる。
【００１６】
また、ビデオデッキ１９は、ビデオエンコーダ１８が出力するコンポジット信号およびＤ／Ａコンバータ１４が出力するアナログ音声信号を装填されているビデオカセットに記録したり、ビデオカセットからコンポジット信号およびアナログ音声信号を読み出したりする。
【００１７】
また、制御部８は、ＣＰＵやメモリ等からなる。リモコン受信部２０は、リモコン２１からの赤外線信号を受信および復調し、操作信号を制御部８に送出する。リモコン２１は、ボタン等のインターフェイスを有し、インターフェイスの操作に対応する赤外線信号を送出する。内部時計２２は、時刻を計るものである。
【００１８】
次に、上記のような構成のＤＶＤレコーダ１の動作について以下説明する。
【００１９】
リモコン２１が有するメインメニューボタンが押されると、リモコン２１がその操作に対応する赤外線信号を送出し、リモコン受信部２０がこれを受信および復調し、操作信号を制御部８に送出する。そして、制御部８はＯＳＤ部１７にメインメニューを表示するよう指示し、ＯＳＤ部１７は表示信号を生成しビデオエンコーダ１８に送出し、ビデオエンコーダ１８は表示信号をコンポジット信号に変換し表示装置に送出し、表示装置に図２のようなメインメニューが表示される。ここでは、各操作項目が選択枠２３と共に表示される。なお、以下説明する各種操作画面は、リモコン２１がボタン等の操作に対応する赤外線信号を送出し、リモコン受信部２０がこれを受信および復調し、操作信号を制御部８に送出し、ＯＳＤ部１７が制御部８の指示に基づき表示信号を生成しビデオエンコーダ１８に送出し、ビデオエンコーダ１８が表示信号をコンポジット信号に変換し表示装置に送出することで、表示装置に表示される。
【００２０】
上記メインメニュー（図２）において、リモコン２１が有する矢印キーにより選択枠２３が移動され「ＨＤ通常録画」が選択され、リモコン２１が有する決定ボタンが押されると、図３（ａ）のようなチャンネル指定画面が表示装置に表示される。ここで、リモコン２１が有するテンキーによりチャンネル番号が入力され、リモコン２１が有する決定ボタンが押されると、図３（ｂ）のような録画開始確認画面が表示装置に表示される。ここで、リモコン２１が有する矢印キーにより選択枠２３が移動され「はい」が選択され、リモコン２１が有する決定ボタンが押されると、制御部８は、上記で指定されたチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を内蔵するハードディスクに記録してゆき、タイトルが録画される。ここで、ハードディスクは、データ領域と管理領域とに分けられており、データ領域にタイトルが録画される。
【００２１】
そして、録画中にリモコン２１が有する録画停止ボタンが押されると、制御部８は、ハードディスクドライブ９に録画停止を伝え、ハードディスクドライブ９は、タイトルの記録位置を示すアドレス情報をハードディスクの管理領域に記録させる。
【００２２】
また、制御部８は、仮タイトル名情報（例えば、「タイトル×」（×は数字））を生成し、ハードディスクドライブ９に送出し、ハードディスクドライブ９は、仮タイトル名情報をハードディスクの管理領域に記録させる。なお、この仮タイトル名情報は後でユーザがリモコン２１の操作により、新しく設定されたタイトル名情報に書き換えることができる。
【００２３】
また、さらに制御部８は、ダビングが未だされていないことを示すフラグ情報、ダミーのダビング先メディア情報、ダミーのダビング日時情報、ダミーのダビング実行者名情報をハードディスクドライブ９によりハードディスクの管理領域に記録させる。以上でハードディスクへの通常録画が完了する。
【００２４】
また、上記メインメニュー（図２）において、リモコン２１が有する矢印キーにより選択枠２３が移動され「ＨＤ予約録画」が選択されると、ハードディスクへの予約録画の設定を行うことができる。この設定が終わった後、設定された録画開始時刻になると自動でハードディスクのデータ領域へのタイトル録画が行われ、設定された録画終了時刻になると録画が完了する。この場合も、上記ハードディスクへの通常録画時と同様のデータが、ハードディスクの管理領域に記録される。
【００２５】
ここで、図４に、上記ハードディスクへの通常録画または予約録画が繰り返され、６つのタイトルが録画された場合のハードディスクの管理領域の状態を示す。ただし、図４中のタイトル名情報は、「タイトル１」「タイトル４」「タイトル６」が仮タイトル名情報、「ドラマ×××」「野球中継×ＶＳ△」「ドラマ△△△」がユーザにより新しく設定されたタイトル名情報である。
【００２６】
また、上記メインメニュー（図２）において、リモコン２１が有する矢印キーにより選択枠２３が移動され「ダビング」が選択され、リモコン２１が有する決定ボタンが押されると、制御部８は、ハードディスクドライブ９に、ハードディスクの管理領域に記録されたタイトル名情報を読み出すよう指示する。そして、ハードディスクドライブ９は、ハードディスクの管理領域からタイトル名情報を読み出し、制御部８に送出する。そして、制御部８は、タイトル名情報をＯＳＤ部１７に送出し、ＯＳＤ部１７は、タイトル名情報に基づき表示信号を生成しビデオエンコーダ１８に送出し、ビデオエンコーダ１８は表示信号をコンポジット信号に変換し表示装置に送出する。そして、表示装置には図５（ａ）のようなタイトル選択画面が表示される。図５（ａ）は、ハードディスクの管理領域が図４のような場合の表示画面を示す。ここでは仮タイトル名（「トラック１」等）およびユーザにより設定されたタイトル名（「ドラマ×××」等）がリスト表示される。この画面で、ユーザはダビングをするタイトルを選択し、ダビングをする順番を設定することができる。
【００２７】
ここで、リモコン２１が有する矢印キーにより選択枠２３が移動されタイトル名が選択され、リモコン２１が有する決定ボタンが押されると、選択されたタイトル名の横に番号１が表示され、以降同様にリモコン２１の操作を繰り返すと、選択されたタイトル名の横に番号が１ずつ増えながら表示される。この番号はダビングをする順番を示す。図５（ｂ）は、「タイトル６」「ドラマ×××」の順に選択された場合を示す。
【００２８】
そして、図５（ｂ）の画面において、リモコン２１が有する矢印キーにより選択枠２３が「確定」に移動され、リモコン２１が有する決定ボタンが押されると、表示装置には図５（ｃ）のようなダビング先メディア選択画面が表示される。この画面で、ユーザはダビング先のメディアとしてＤＶＤかビデオカセットを設定できる。リモコン２１が有する矢印キーにより選択枠２３が「ＤＶＤ」「ビデオカセット」のいずれかに移動され選択され、リモコン２１が有する決定ボタンが押されると、制御部８は、ここで選択されたダビング先メディアを表す情報を不図示のメモリに記憶させる。そして、表示装置には図５（ｄ）のようなダビング実行者名入力画面が表示される。
【００２９】
この画面で、ユーザは自分の名前を入力することができる。リモコン２１が有するテンキーにより文字列（図５（ｄ）では「ＴＡＲＯ」）が入力され、決定ボタンが押されると、制御部８は、ここで入力された文字列を表す情報を不図示のメモリに記憶させる。そして、表示装置には図５（ｅ）のようなダビング開始確認画面が表示される。
【００３０】
ここで、リモコン２１が有する矢印キーにより選択枠２３が「はい」に移動され、リモコン２１が有する決定ボタンが押されると、制御部８は、内部時計２２で得られる現在時刻情報を不図示のメモリに記憶させてから、上記で設定されたダビング順で最初のタイトル（図５（ｂ）であれば「タイトル６」のタイトル）をハードディスクのデータ領域から読み出すようハードディスクドライブ９に指示する。そして、ハードディスクドライブ９はハードディスクのデータ領域からそのタイトルを読み出し制御部８に送出する。そして、制御部８は、上記で設定されたダビング先メディアがＤＶＤである場合、タイトルをＤＶＤドライブ１０に送出し、ＤＶＤドライブ１０は装填されたＤＶＤにタイトルを記録させる。また、上記で設定されたダビング先メディアがビデオカセットである場合、制御部８は、スイッチ１３およびスイッチ１５をオンとし、タイトルをＭＰＥＧデコーダ１１に送出し、アナログ音声信号およびコンポジット信号をビデオカセットに記録するようビデオデッキ１９に指示し、ビデオデッキ１９は装填されたビデオカセットにタイトルを記録させる。このようにしてダビングが行われる。
【００３１】
そして、ダビングが完了すると、制御部８は、ハードディスクの管理領域において、ダビングされたタイトルに対応するフラグ情報をダビング済みであることを表す情報に、ダビングされたタイトルに対応するダビング先メディア情報を上記で設定されたダビング先メディアを表す情報に、ダビングされたタイトルに対応するダビング日時情報を上記でダビング開始時に内部時計２２で得られた現在時刻を表す情報に、ダビングされたタイトルに対応するダビング実行者名情報を上記で画面入力された文字列を表す情報に、それぞれ書き換えるようハードディスクドライブ９に指示し、ハードディスクドライブ９は書き換えを行う。
【００３２】
そして、制御部８は、内部時計２２で得られる現在時刻情報を不図示のメモリに記憶させてから、上記で設定されたダビング順で２番目のタイトル（図５（ｂ）であれば「ドラマ×××」のタイトル）をハードディスクのデータ領域から読み出すようハードディスクドライブ９に指示しダビングが行われ、以降、上記と同様の動作が上記で設定されたダビング順で最後のタイトルまで繰り返される。
【００３３】
ここで、ハードディスクの管理領域の状態が図４のような場合に、上記のようなダビング操作により、「タイトル６」および「ドラマ×××」のタイトルをＤＶＤに、「タイトル１」のタイトルをビデオカセットにダビングした後のハードディスクの管理領域の状態を図６に示す。フラグ情報、ダビング先メディア情報、ダビング日時情報、ダビング実行者名情報が図４の状態から書き換えられていることがわかる。
【００３４】
次に、上記メインメニュー（図２）において、リモコン２１が有する矢印キーにより選択枠２３が移動され「ＨＤ記録タイトル一覧」が選択され、リモコン２１が有する決定ボタンが押されると、制御部８は、ハードディスクドライブ９にハードディスクの管理領域から各情報を読み出すよう指示し、ハードディスクドライブ９はハードディスクから各情報を読み出し制御部８に送出し、制御部８は、各情報を不図示のメモリに記憶させる。そして、制御部８は、各タイトル名情報をＯＳＤ部１７に送出する。また、制御部８は、各タイトルの最初のフレームをハードディスクのデータ領域から読み出すようハードディスクドライブ９に指示し、ハードディスクドライブ９はハードディスクから各フレームを読み出し制御部８に送出する。そして、制御部８は、スイッチ１５をオンとして、各フレームをＭＰＥＧデコーダ１１に送出し、復号化された各フレームがＯＳＤ部１７に入力され縮小処理される。また、制御部８は、フラグ情報がダビング済みを表す情報となっているタイトルについてはダビング済みを表すマークを生成するようＯＳＤ部１７に指示する。そして、ＯＳＤ部１７は表示信号を生成してビデオエンコーダ１８に送出し、ビデオエンコーダ１８は表示信号をコンポジット信号に変換して表示装置に送出する。
【００３５】
すると、表示装置には、図７のような画面が表示される。ここでは、ハードディスクに録画されている各タイトルの最初のフレームの縮小画像２４が一覧表示され、各縮小画像の左上隅には対応するタイトル名が表示され、ダビング済みのタイトルに対応する縮小画像の下部にはダビング済みを表すマーク２５が表示される。図７は、ハードディスクの管理領域の状態が前述した図６のような場合での表示画面を示している。これにより、ユーザは、各タイトルがダビング済みであるかどうかを一目でわかり、ダビングが済んでいないタイトルを誤って削除することが防げる。なお、ここでは縮小画像とタイトル名を一覧表示させたが、タイトル名のみを一覧表示させ、ダビング済みのタイトルのタイトル名に対応させてマークを表示させるようにしてもよい。
【００３６】
また、図７の画面において、リモコン２１が有する矢印キーにより選択枠２３が「ダビング履歴」のところに移動され、リモコン２１が有する決定ボタンが押されると、制御部８は、フラグ情報がダビング済みを表す情報となっているものに対応するタイトル名情報、ダビング先メディア情報、ダビング日時情報、ダビング実行者名情報をＯＳＤ部１７に送出する。そして、ＯＳＤ部１７は表示信号を生成してビデオエンコーダ１８に送出し、ビデオエンコーダ１８は表示信号をコンポジット信号に変換して表示装置に送出する。
【００３７】
すると、表示装置には、図８のような画面が表示される。ここでは、ダビング済みのタイトルのタイトル名が一覧表示され、タイトル名毎にダビング日時、ダビング先メディア、ダビング実行者名が表示される。図８は、ハードディスクの管理領域の状態が前述した図６のような場合に図７の画面から移行した表示画面を示している。これにより、ユーザはダビングの履歴を容易に確認できる。
【図面の簡単な説明】
【００３８】
【図１】は、本発明に係るＤＶＤレコーダのブロック図である。
【図２】は、メインメニュー画面を示す図である。
【図３】は、ハードディスク通常録画の操作画面を示す図である。
【図４】は、ハードディスクの管理領域の状態例を示す図である。
【図５】は、ダビングの操作画面を示す図である。
【図６】は、ハードディスクの管理領域の状態例を示す図である。
【図７】は、ハードディスクに録画されたタイトルの一覧表示画面を示す図である。
【図８】は、ダビング履歴画面を示す図である。
【符号の説明】
【００３９】
１    ＤＶＤレコーダ
２    アンテナ
３    チューナ
４    検波回路
５    ビデオデコーダ
６    Ａ／Ｄコンバータ
７    ＭＰＥＧエンコーダ
８    制御部
９    ハードディスクドライブ
１０    ＤＶＤドライブ
１１    ＭＰＥＧデコーダ
１２、１３    スイッチ
１４    Ｄ／Ａコンバータ
１５、１６    スイッチ
１７    ＯＳＤ部
１８    ビデオエンコーダ
１９    ビデオデッキ
２０    リモコン受信部
２１    リモコン
２２    内部時計
【図１】
2007234143.tif 000003
【図２】
2007234143.tif 000004
【図３】
2007234143.tif 000005
【図４】
2007234143.tif 000006
【図５】
2007234143.tif 000007
【図６】
2007234143.tif 000008
【図７】
2007234143.tif 000009
【図８】
2007234143.tif 000010